(57)【特許請求の範囲】
【請求項１】
呼出ボタンを備えるインターホン子機を収容するインターホン親機であって、
前記インターホン子機が備える呼出ボタンが操作されて自インターホン親機が呼出される被呼出動作の時間的なパターンである複数の被呼出パターンのいずれかを検知する被呼出パターン検知手段と、
自インターホン親機が備える複数の機能と予め定めた複数の被呼出パターンとを対応付けて登録する被呼出パターン登録手段と、
前記複数の被呼出パターンのいずれかを、前記被呼出パターン登録手段に登録されている前記複数の機能と前記複数の被呼出パターンとの対応関係に係る案内情報を前記インターホン子機または所定の宛先へ送信することを要求する案内要求パターンとして設定する案内要求設定手段と、を有し、
前記被呼出パターン検知手段が前記複数の被呼出パターンのいずれかを検知した場合に、前記検知した被呼出パターンが前記設定された案内要求パターンであったならば、前記案内情報を前記インターホン子機または所定の宛先へ送信し、
前記検知した被呼出パターンが前記設定された案内要求パターンでないならば、前記被呼出パターン登録手段を参照して当該被呼出パターンに対応する機能を自動的に起動することを特徴とする被呼出パターン検知機能を有するインターホン親機。
【発明の詳細な説明】
【技術分野】
【０００１】
本発明は、セキュリティを維持しつつ、簡単な操作で電気錠の開錠等の操作を可能としたインターホン装置に関する。
【背景技術】
【０００２】
従来の電気錠の開錠機能を有するインターホン装置（入退室管理を行うセキュリティ装置を含む）では、カードリーダによりカード内のＩＤ情報を読み取ったり、テンキー（暗証番号入力用の複数のボタン）を用いて特定の暗証番号を入力することにより、電気錠の開錠を行うことが知られていた。このことは特許文献１で示されている。
【０００３】
また暗証番号入力用ボタンの存在を隠すため、呼出ボタンのスイッチと暗証番号入力用スイッチをひとつのボタン（キートップ）で覆うことが知られていた。このことは特許文献２で示されている。
【先行技術文献】
【特許文献】
【０００４】
【特許文献１】特開２０００−３１４２５１号公報
【特許文献２】特開平１１−２８０３１５号公報
【発明の概要】
【発明が解決しようとする課題】
【０００５】
しかし特許文献１に示す構成では、インターホン子機においてカードリーダや暗証番号入力用のボタンが露出しているため、また特許文献２で示す構成では、不自然に大きい呼出ボタンが露出しているため、該インターホン子機が、電気錠の開錠等のインターホン親機を呼び出す以外の操作が可能であることを気付かれてしまい、悪意のある来訪者がインターホン親機を呼び出す以外の操作を試みようとする意識を高め、セキュリティが脆弱化する。
【０００６】
本発明は上記課題に鑑みなされたものであって、本発明の目的は、インターホン子機の呼出ボタン１個で、セキュリティを確保しつつ、特定の来訪者が簡単に所定の動作を選択・実行可能とする技術を提供することにある。
【課題を解決するための手段】
【０００７】
上記課題を解決するため本発明は、呼出ボタンを備えるインターホン子機を収容するインターホン親機であって、前記インターホン子機が備える呼出ボタンが操作されて自インターホン親機が呼出される被呼出動作の時間的なパターンである複数の被呼出パターンのいずれかを検知する被呼出パターン検知手段と、自インターホン親機が備える複数の機能と予め定めた複数の被呼出パターンとを対応付けて登録する被呼出パターン登録手段と、前記複数の被呼出パターンのいずれかを、前記被呼出パターン登録手段に登録されている前記複数の機能と前記複数の被呼出パターンとの対応関係に係る案内情報を前記インターホン子機または所定の宛先へ送信することを要求する案内要求パターンとして設定する案内要求設定手段と、を有し、前記被呼出パターン検知手段が前記複数の被呼出パターンのいずれかを検知した場合に、前記検知した被呼出パターンが前記設定された案内要求パターンであったならば、前記案内情報を前記インターホン子機または所定の宛先へ送信し、前記検知した被呼出パターンが前記設定された案内要求パターンでないならば、前記被呼出パターン登録手段を参照して当該被呼出パターンに対応する機能を自動的に起動する被呼出パターン対応起動手段を有することを特徴とする。
【発明の効果】
【０００９】
本発明によれば、一般的なインターホン子機が備える１個の呼出ボタンの呼出パターンを検知して、所定の動作を実行することにより、一般の来訪者には、インターホン親機を呼び出す以外の操作が可能であることを察知されることなく、かつ呼出ボタンの呼出パターンを知っている家族や支援者などの特定来訪者のみが簡単に所定の動作を実行できると共に、従来のようにカードリーダや暗証番号入力ボタンを設ける必要がなく、セキュアなインターホン装置を安価に構成することが可能となる。
【００１０】
またモールス信号等の被呼出パターン（以下、呼出パターンと呼称する場合もある）を検知することで、インターホン子機の呼出ボタンのみを用いて複数の動作を選択・実行できる。
【図面の簡単な説明】
【００１１】
【図１】本発明によるインターホンシステムのブロック構成図である。
【図２】インターホン親機の制御部の動作フローチャートである。
【図３】特定コマンドの受信に関するインターホン親機の制御部の動作フローチャートである。
【図４】呼出パターン登録部の記憶内容の一例を示す図である。
【図５】所定の動作内容と各動作を起動する呼出ボタンの呼出パターン（操作方法）及び特定コマンドを案内するメッセージの一例を示す図である。
【図６】操作案内通知先記憶部の記憶内容の一例を示す図である。
【図７】図７は、呼出ボタンの短時間オンや長時間オンの組合せによる呼出パターンの構成例を示す図である。
【発明を実施するための形態】
【００１２】
以下、図面を用いて本発明の実施形態を説明する。
【００１３】
図１は、本発明によるインターホンシステムのブロック構成図である。
【００１４】
本インターホンシステムはインターホン子機１と本発明によるインターホン親機３とが通信線路２を介して接続されている。
【００１５】
インターホン子機１は、通信線路２を介してインターホン親機３の子機インタフェース部３０１と接続される親機インタフェース部１０１と、状態を表示する状態表示ランプ１０２と、インターホンとして通話を行うスピーカ１０３とマイク１０４と、インターホン親機３を呼び出す呼出ボタン１０５と、インターホン親機３からの指示を受けて、玄関ドア６のドアロック部６０１に対して開錠・施錠信号を出力するロック制御信号出力部１０６とから構成されている。
【００１６】
インターホン親機３は、通信線路２を介してインターホン子機１と接続する子機インタフェース部３０１と、各部を制御する制御部３１０と、インターホン子機１との通話を行うマイク３０４とスピーカ３０３と、インターホン子機１からの呼び出しに応答する応答ボタン３０５と、インターホン子機１のロック制御信号出力部１０６に対してドアの開錠を指示する開錠ボタン３０６と、本発明による呼出ボタン１０５の呼出パターンまたは通知先端末５から指示する特定コマンドに対応する動作を記憶する呼出パターン登録部３１１と、通信回線４を介してあらかじめ登録された通知先（通知先端末５）に操作案内メールを送信するための操作案内通知先記憶部３２２とメール送信部３２３と、通知先端末からの特定コマンドを受信するコマンド受信部３２４と、通信回線制御部３２１から構成されている。
【００１７】
また外部機器制御部３２５は、制御部３１０からの指示によって、セキュリィテイシステムやエアコン等の外部機器７を起動・停止する制御信号を出力する。
【００１８】
尚、本実施例では、インターホン親機に対して１台のインターホン子機を収容される形態を示しているが、インターホン親機に複数の子機インタフェース部を設けて、複数のインターホン子機を収容してもよい。
【００１９】
通常、来訪者がインターホン子機１の呼出ボタン１０５を１回押下すると、インターホン親機３の制御部３１０は、その呼出パターンを検知して、スピーカ３０３から呼出チャイム音を出力し、インターホン親機の応対者に着信を知らせ、応対者が応答ボタン３０５を押下すると応答し、インターホン子機１とインターホン親機３との通話路を接続して通話中状態とする。
【００２０】
また制御部３１０は、通話終了を示す応答ボタン３０５の再押下を検出すると、インターホン子機１とインターホン親機３との通話路を解放して待機状態に戻る。
【００２１】
ここで、家族や支援者などの特定来訪者が、インターホン子機１の呼出ボタン１０５を所定の回数（本実施例では７回）連続で押下すると、制御部３１０は、特定来訪者によるログイン操作であると認識し、インターホン子機の状態表示ランプ１０２を遅い点滅状態とするよう指示し、次の（第二の）呼出ボタンの押下操作を待つ。
【００２２】
次に、第二の呼出ボタン押下待ち状態において、特定来訪者がインターホン子機１の呼出ボタン１０５を所定の回数（本実施例では９回）連続で押下すると、制御部３１０は、ドア開錠要求操作であると認識して、インターホン子機１の状態表示ランプ１０２を３秒間早い点滅状態とするよう指示した後、ロック制御信号出力部１０６に対して、開錠指示を送出する。
【００２３】
これにより、インターホン子機１のロック制御信号出力部１０６は、玄関ドア６のドアロック部６０１に対して開錠信号を出力し、玄関ドア６の施錠が解除される。
【００２４】
また第二の呼出ボタン押下待ち状態において、特定来訪者がインターホン子機１の呼出ボタン１０５を所定の回数（本実施例では２回）連続で押下すると、制御部３１０は、特定来訪者（所定の相手先）に対する操作案内メールの送信要求操作であると認識して、インターホン子機１の状態表示ランプ１０２を３秒間早い点滅状態とするよう指示した後、操作案内通知先記憶部３２２から対応する相手先（通知先）のメールアドレスを取得し、メール送信部３２３と通信回線制御部３２１を介して、所定の相手先毎に対応する動作内容と、前記動作を起動するための呼出ボタン１０５の呼出パターン操作方法及び通知先端末５から指示する特定コマンドとを示した操作案内メールＭ３２３（一例を図５に示す）を送信する。
【００２５】
またインターホン親機と所定の相手先とが接続されている状態において、コマンド受信部３２４が通知先端末５からの特定コマンドを受信した場合にも、制御部３１０は、ドア開錠要求操作であると認識して、インターホン子機１の状態表示ランプ１０２を３秒間早い点滅状態とするよう指示した後、ロック制御信号出力部１０６に対して、開錠指示を送出する。
【００２６】
これにより、操作案内メールを受信した通知先の対応者は、インターホン子機１の呼出ボタン１０５を案内された呼出パターンに従って操作する、または通知先端末５を操作して案内されたコマンドをインターホン親機３に送ることにより、目的の操作を実行する。
【００２７】
尚、本実施例では、インターホン子機１からアクセスできる操作を、玄関ドアの開錠操作と操作案内メールの送信操作として示しているが、家電製品のリモコン機能と連携させて照明やエアコンのＯＮ／ＯＦＦを制御したり、またセキュリティシステムと連携させて警戒モードのＯＮ／ＯＦＦ等を制御してもよい。
【００２８】
図２は、本発明によるインターホン親機の制御部の動作フローチャートである。
【００２９】
本フローは、インターホン親機３の電源が投入され、インターホン子機１との通信接続を確立した後に開始される。
【００３０】
本フローが開始されると、インターホン親機３は、インターホン子機１の状態表示ランプ１０２を点灯するよう指示する（Ｓ３００１）。
【００３１】
次に、インターホン子機１の呼出ボタン１０５が押下されたことを制御部３１０で検知すると（Ｓ３０１０，Ｙ）、当該呼出ボタンが連続して押下された回数をカウントする（Ｓ３０１１）。
【００３２】
次に、カウントした連続押下回数の値が、図４に示す第一の呼出パターンの内、支援者のログイン（Ｖ３０６）または家族のログイン（Ｖ３０７）に一致した場合（Ｓ３０２０，Ｙ）、第二の呼出ボタンの押下を受付可能なことを示すため、インターホン子機１の状態表示ランプ１０２を遅い点滅状態とするよう指示する（Ｓ３０２１）。
【００３３】
続いて、インターホン子機１の呼出ボタン１０５が再び押下されたことを検知すると（Ｓ３０３０，Ｙ）、当該呼出ボタンが連続して押下された回数をカウントする（Ｓ３０３２）。
【００３４】
ステップ３０４０において、カウントした連続押下回数の値が、図４に示す第二の呼出パターンの内、操作案内メール通知（Ｖ３１２、Ｖ３２３）に一致した場合（Ｓ３０４０，Ｙ）は、インターホン子機１の状態表示ランプ１０２を３秒間早い点滅状態とするよう指示した後（Ｓ３０４１）、操作案内通知先記憶部３２２から対応する通知先のメールアドレスを抽出し、メール送信部３２３と通信回線制御部３２１を介して、対応する通知先に操作案内メール（一例を図５に示す）を送信して（Ｓ３０４２）、待機状態（Ｓ３０００）に戻る。
【００３５】
またステップ３０３１において、所定の期間、第二の呼出パターン（呼出ボタンの押下）を検知しなかった場合（Ｓ３０３１，Ｙ）にも、インターホン子機１の状態表示ランプ１０２を３秒間早い点滅状態とするよう指示した後（Ｓ３０４１）、操作案内通知先記憶部３２２から対応する通知先のメールアドレスを抽出し、メール送信部３２３と通信回線制御部３２１を介して、対応する通知先に操作案内メールＭ３２３（一例を図５に示す）を送信して（Ｓ３０４２）、待機状態（Ｓ３０００）に戻る。
【００３６】
またステップ３０５０において、カウントした連続押下回数の値が、図４に示す第二の呼出パターンの内、ドア開錠（Ｖ３１１、Ｖ３２１）に一致した場合（Ｓ３０５０，Ｙ）は、インターホン子機１の状態表示ランプ１０２を３秒間早い点滅状態とするよう指示した後（Ｓ３０５１）、インターホン子機１のロック制御信号出力部１０６に対して玄関ドアの開錠を行うよう指示して（Ｓ３０５２）、待機状態（Ｓ３０００）に戻る。
【００３７】
尚、カウントした連続押下回数の値がステップ３０４０及びステップ３０５０で示すいずれの条件にも一致しなかった場合には（Ｓ３０４０，Ｎ、Ｓ３０５０，Ｎ）、待機状態（Ｓ３０００）に戻る。
【００３８】
ステップ３０２０において、第一の呼出パターンに一致しなかった場合には（Ｓ３０２０，Ｎ）、インターホン親機３のスピーカ３０３から呼出チャイム音を送出して、インターホン子機１からの呼び出しを通知する（Ｓ３０６１）。
【００３９】
次に、インターホン親機３の応答ボタン３０５が押下されたことを検知すると（Ｓ３０７０，Ｙ）、インターホン親機３とインターホン子機１の通話路を接続して、通話中状態とする（Ｓ３０７１）。
【００４０】
尚、図示しないが、通話中状態において開錠ボタン３０６が押下されると、インターホン子機１のロック制御信号出力部１０６に対して、玄関ドアの開錠を指示する信号を送出する。
【００４１】
次に、インターホン親機３とインターホン子機１とが通話中状態において、再度インターホン親機３の応答ボタン３０５が押下されたことを検知すると（Ｓ３０８０，Ｙ）、インターホン親機３とインターホン子機１の通話路を解放した後（Ｓ３０８１）、待機状態（Ｓ３０００）に戻る。
【００４２】
尚、本実施例では、呼出ボタンを連続して押下した回数を基準として特定の呼出パターンを検知しているが、呼出ボタンの呼出パターンは、モールス符号のように呼出ボタンの長期間押下（長点）／短期間押下（短点）／休止期間（単語間隔）を複数組み合わせて構成してもよい。
【００４３】
尚、セキュリティ強化のため、該当しない呼出パターンを繰り返し検知した場合、以降、該当する呼出パターンを検出しても、所定の動作を実行しないよう規制することも有用である。
【００４４】
尚、本実施例では、呼出ボタンを連続して押下した回数を基準として特定の呼出パターンを検知しているが、呼出パターンは、図７に示すようにモールス符号に類した呼出ボタンの短時間オンや長時間オンの回数または組合せで構成してもよい。
【００４５】
図３は、特定コマンドの受信に関するインターホン親機の制御部の動作フローチャートである。
【００４６】
インターホン親機３のコマンド受信部３２４は、通信回線制御部３２１を介して通知先端末５が送出したＤＴＭＦ（Ｄｉａｌ  Ｔｏｎｅ  Ｍｕｌｔｉ  Ｆｒｅｑｕｅｎｃｙ）信号を受信する機能を有している。
【００４７】
待機状態（Ｓ３１００）において、制御部３１０が通信回線制御部３２１によって着信が到来したことを検知すると（Ｓ３１０１，Ｙ）、操作案内通知先記憶部３２２の記憶内容（図６に一例を示す）に従って当該着信の発信元が操作案内メールを送信した相手先であるか否かを判断し、操作案内メールを送信した相手先からの着信であると判断した場合（Ｓ３１０２，Ｙ）、当該着信に応答し、通知先端末５とインターホン親機３との通話路を接続する（Ｓ３１０３）。
【００４８】
次に、コマンド受信部３２４によって通知先端末５からの特定コマンド（ＤＴＭＦ信号）を受信すると（Ｓ３１１０，Ｙ）、検知したＤＴＭＦ信号と呼出パターン登録部３１１に記憶された特定コマンド（Ｖ３０５）を照合する（Ｓ３１２０、Ｓ３１３０、Ｓ３１４０、Ｓ３１５０）。
【００４９】
受信したＤＴＭＦ信号が、ドア開錠動作を示す値（Ｖ３１１またはＶ３２１）であった場合には（Ｓ３１２０，Ｙ）、インターホン子機１の状態表示ランプ１０２を３秒間早い点滅状態とするよう指示した後（Ｓ３１２１）、インターホン子機１のロック制御信号出力部１０６に対して玄関ドアの開錠を指示し（Ｓ３１２２）、通話を切断した後（Ｓ３１６０）、待機状態（Ｓ３１００）に戻る。
【００５０】
また受信したＤＴＭＦ信号が、ドア施錠動作を示す値（Ｖ３２２）であった場合には（Ｓ３１３０，Ｙ）、インターホン子機１の状態表示ランプ１０２を３秒間早い点滅状態とするよう指示した後（Ｓ３１３１）、インターホン子機１のロック制御信号出力部１０６に対して玄関ドアの施錠を指示し（Ｓ３１３２）、通話を切断した後（Ｓ３１６０）、待機状態（Ｓ３１００）に戻る。
【００５１】
また受信したＤＴＭＦ信号が、警備モードの設定動作を示す値（Ｖ３２５）であった場合には（Ｓ３１４０，Ｙ）、インターホン子機１の状態表示ランプ１０２を３秒間早い点滅状態とするよう指示した後（Ｓ３１４１）、外部機器制御部３２５から外部機器７（本実施例の場合、セキュリティシステム）に対して、警戒モードを起動するよう指示し（Ｓ３１４２）、通話を切断した後（Ｓ３１６０）、待機状態（Ｓ３１００）に戻る。
【００５２】
また受信したＤＴＭＦ信号が、警備モードの解除動作を示す値（Ｖ３２６）であった場合には（Ｓ３１５０，Ｙ）、インターホン子機１の状態表示ランプ１０２を３秒間早い点滅状態とするよう指示した後（Ｓ３１５１）、外部機器制御部３２５から外部機器７（本実施例では、セキュリティシステム）に対して、警戒モードを解除するよう指示し（Ｓ３１５２）、通話を切断した後（Ｓ３１６０）、待機状態（Ｓ３１００）に戻る。
【００５３】
尚、本実施例では、通知先端末５からの特定のＤＴＭＦ信号をコマンド受信部３２４で検知するものとして説明したが、特定コマンドは、コマンド受信部３２４にＷＥＢサーバ機能を持たせて、通知先端末５がそのＷＥＢサーバ機能の特定ＵＲＬ（Ｕｎｉｆｏｒｍ  Ｒｅｓｏｕｒｃｅ  Ｌｏｃａｔｏｒ）にアクセスしたことを検知したり、コマンド受信部３２４と通知先端末５との間で、専用のプロトコルと専用のメッセージを用いて伝達してもよい。
【００５４】
図４は、呼出パターン登録部３１１の内容の一例を示す図である。
【００５５】
来訪者区分（Ｖ３０１）を識別する第一の呼出パターン（Ｖ３０３）と、該来訪者毎に設けられた動作（Ｖ３０２）を選択する第二の呼出パターン（Ｖ３０４）及び特定コマンド（Ｖ３０５）との関係（Ｖ３１１〜Ｖ３１３、Ｖ３２１〜Ｖ３２６）とが記憶されている。
【００５６】
尚、呼出パターン登録部３１１への内容登録には、インターホン親機３に表示器や入力ボタンを設けて入力したり、制御部３１０に外部端末インタフェースを設けて外部端末から入力したり、データ受信部を設けて通信回線制御部３２１を介して外部の通信端末から入力する方法がある。
【００５７】
図５は、所定の動作内容と各動作を起動する呼出ボタンの呼出パターン（操作方法）及び特定コマンドを案内するメッセージの一例を示す図である。
【００５８】
各動作に対応する呼出ボタンの呼出パターン（本実施例では連続押下回数）と通知先端末から指示するコマンド（本実施例では特定のＤＴＭＦ信号を出力するダイヤルキーの押下方法）とが、電子メールの本文として記述されている。
【００５９】
尚、本実施例では、電子メールを用いて操作案内を通知先端末に通知しているが、操作案内の通知手段には、音声ガイダンスやファクシミリ等、他の伝達手段を用いてもよい。
【００６０】
図６は、操作案内通知先記憶部の記憶内容の一例を示す図である。
【００６１】
通知先区分（Ｖ３３１）毎に、対応する操作案内を通知する通知先のメールアドレス（Ｖ３２２）と、特定コマンドの受信に際して着信に応答するか否かを判断するための発信元電話番号（Ｖ３３３）が記憶されている（Ｖ３４１、Ｖ３４２）。
図７は、呼出ボタンの短時間オンや長時間オンの組合せによる呼出パターンの構成例を示す図である。
【００６２】
インターホン子機１の呼出ボタン１０５を、予め定めた時間よりも短い呼出動作である短時間オン、また予め定められた時間よりも長い呼出動作である長時間オンの回数や組合せにより呼出パターンを呼出パターン登録部３１１に登録する。
【００６３】
例えば、図示するようなドア開錠動作に対応する呼出パターン（Ｖ１０５１〜Ｖ１０５２）、ドア施錠動作に対応する呼出パターン（Ｖ１０５３〜Ｖ１０５４）、警備モード設定動作に対応する呼出パターン（Ｖ１０５５〜Ｖ１０５６）、警備モード解除動作に対応する呼出パターン（Ｖ１０５７〜Ｖ１０５８）がある。
【符号の説明】
【００６４】
１  インターホン子機
２  通信線路
３  本発明によるインターホン親機
４  通信回線
５  通知先端末
６  玄関ドア
７  外部機器
１０１  親機インタフェース部
１０２  状態表示ランプ
１０３  スピーカ
１０４  マイク
１０５  呼出ボタン
１０６  ロック制御信号出力部
３０１  子機インタフェース部
３０３  スピーカ
３０４  マイク
３０５  応答ボタン
３０６  開錠ボタン
３１０  制御部  
３１１  呼出パターン登録部
３２１  通信回線制御部
３２２  操作案内通知先記憶部
３２３  メール送信部
３２４  コマンド受信部
３２５  外部機器制御部
６０１  ドアロック部
【図１】
0005652174.tif 000002
【図２】
0005652174.tif 000003
【図３】
0005652174.tif 000004
【図４】
0005652174.tif 000005
【図５】
0005652174.tif 000006
【図６】
0005652174.tif 000007
【図７】
0005652174.tif 000008